(57)【要約】【課題】複数枚の原紙がプライ加工された家庭用薄葉紙において、薬液が塗布されてシートが濡れた状態であっても、プライ剥がれやシートのよれを防止する。【解決手段】２枚以上の原紙がプライ加工される家庭用薄葉紙において、エンボス加工時の剪断力によってカット部４が入ったエンボスｅ１を施す。カット部４を有するエンボスｅ１を施すことにより、通常のエンボスに比べて原紙同士をより強く接着することができるため、シートに薬液が塗布されて濡れた状態であっても、プライ剥がれやシートのよれを防止することが可能である。【選択図】図１
2015142602.tif 000002
【特許請求の範囲】
【請求項１】
２枚以上の原紙がプライ加工される家庭用薄葉紙であって、
エンボス加工時の剪断力によって形成されたカット部を有することを特徴とする家庭用薄葉紙。
【請求項２】
請求項１に記載の家庭用薄葉紙であって、
折り加工の際に折り目が入れられる折り加工部が設けられており、
前記カット部のうち、前記折り加工部に設けられる第１カット部は、折り加工部以外の部分に設けられた第２カット部よりもカット長が長いことを特徴とする家庭用薄葉紙。
【請求項３】
請求項１に記載の家庭用薄葉紙であって、
当該家庭用薄葉紙の両側縁部が、前記カット部を有するエンボスによって圧着されていることを特徴とする家庭用薄葉紙。
【請求項４】
請求項１〜３項の何れか１項に記載の家庭用薄葉紙を製造するためのエンボス加工装置であって、
対向する位置に設けられた上側エンボスロールと下側エンボスロールとを有し、
前記上側エンボスロールの凸部と前記下側エンボスロールの凸部は、互いに重ならないようになっており、
２枚以上の原紙を重ねた状態で、前記上側エンボスロールと前記下側エンボスロールにより押圧してエンボスを施す際に、前記上側エンボスロールの凸部と前記下側エンボスロールの凸部の間に生じた剪断力によって、当該家庭用薄葉紙を破いて前記カット部が形成されることを特徴とする家庭用薄葉紙を製造するためのエンボス加工装置。
【請求項５】
請求項４に記載の家庭用薄葉紙を製造するためのエンボス加工装置であって、
前記凸部によって形成されるエンボスの形状が六角形状であることを特徴とする家庭用薄葉紙を製造するためのエンボス加工装置。
【請求項６】
請求項４に記載の家庭用薄葉紙を製造するためのエンボス加工装置であって、
前記上側エンボスロールの凸部と前記下側エンボスロールの凸部のパターンが同一であることを特徴とする家庭用薄葉紙を製造するためのエンボス加工装置。
【請求項７】
請求項４〜６の何れか１項に記載のエンボス加工装置によって製造される家庭用薄葉紙の製造方法であって、
２枚以上の原紙を重ねた状態で、前記上側エンボスロールと前記下側エンボスロールにより押圧してエンボスを施す際に、前記上側エンボスロールの凸部と前記下側エンボスロールの凸部の間に生じた剪断力によって、当該家庭用薄葉紙を破いて前記カット部を形成することを特徴とする家庭用薄葉紙の製造方法。
【発明の詳細な説明】
【技術分野】
【０００１】
本発明は、家庭用薄葉紙、エンボス加工装置及び家庭用薄葉紙の製造方法に関する。
【背景技術】
【０００２】
現在、トイレクリーナーやキッチンクリーナー等の家庭用薄葉紙は、風合い、吸収性及び嵩高性等を向上させるために、クレープ紙などの原紙を複数枚プライ加工して１枚のシートとしたものが一般的に使用されている。そして、これらのプライ加工されたシートのプライ剥がれを防止するために、エンボス加工や接着剤によりシートを接着して一体化する方法が多く行われている。
【０００３】
具体的には、例えば、プライ接着強度の高いエンボス加工を施したもの（特許文献１，２参照）や、シートの両側縁部にエッジエンボスを設けたもの（特許文献３，４参照）が知られている。また、エンボス加工に加えて水溶性の接着剤によってシートを接着させたもの（特許文献５参照）が知られている。
【先行技術文献】
【特許文献】
【０００４】
【特許文献１】特開２００３−１１６７４１号公報
【特許文献２】特開２０１３−０１４０２４号公報
【特許文献３】特開２０１２−０４０７７５号公報
【特許文献４】特開２０１３−２０２２０６号公報
【特許文献５】特開２０１１−１５３３８７号公報
【発明の概要】
【発明が解決しようとする課題】
【０００５】
複数枚の原紙がプライ加工された家庭用薄葉紙において、乾燥状態においては、上述したシートにエンボス加工を施す方法や接着剤を使用する方法等によって、効果的にプライ剥がれを防止することが可能である。しかしながら、所定の薬液等が塗布されてシートが濡れた状態においては、エンボス加工の効果が十分に得られず、エンボス加工を施した箇所であっても、プライ剥がれやシートがよれてしまう等の問題が依然として生じている。
【０００６】
また、水溶性接着剤を用いた方法においては、接着剤が薬液に溶けてしまい接着剤の効果が十分得られない場合や、接着剤によってシートの柔軟性や嵩高性が損なわれる場合がある。また、エンボス加工に追加して接着剤を施す場合には、エンボス加工を施すのみの場合に比べて、別途接着剤を付与するための手間もコストもかかる。
【０００７】
本発明は、このような問題に鑑みてなされたものであり、本発明の課題は、複数枚の原紙がプライ加工された家庭用薄葉紙において、薬液が塗布されてシートが濡れた状態であっても、プライ剥がれや、シートのよれを防止することを目的としたものである。
【課題を解決するための手段】
【０００８】
上記課題を解決するため、請求項１に記載の発明は、
２枚以上の原紙がプライ加工される家庭用薄葉紙であって、
エンボス加工時の剪断力によって形成されたカット部を有することを特徴とする。
【０００９】
請求項２に記載の発明は、
請求項１に記載の家庭用薄葉紙であって、
折り加工の際に折り目が入れられる折り加工部が設けられており、
前記カット部のうち、前記折り加工部に設けられる第１カット部は、折り加工部以外の部分に設けられた第２カット部よりもカット長が長いことを特徴とする。
【００１０】
請求項３に記載の発明は、
請求項１に記載の家庭用薄葉紙であって、
当該家庭用薄葉紙の両側縁部が、前記カット部を有するエンボスによって圧着されていることを特徴とする。
【００１１】
請求項４に記載の発明は、
請求項１〜３項の何れか１項に記載の家庭用薄葉紙を製造するためのエンボス加工装置であって、
対向する位置に設けられた上側エンボスロールと下側エンボスロールとを有し、
前記上側エンボスロールの凸部と前記下側エンボスロールの凸部は、互いに重ならないようになっており、
２枚以上の原紙を重ねた状態で、前記上側エンボスロールと前記下側エンボスロールにより押圧してエンボスを施す際に、前記上側エンボスロールの凸部と前記下側エンボスロールの凸部の間に生じた剪断力によって、当該家庭用薄葉紙を破いて前記カット部が形成されることを特徴とする。
【００１２】
請求項５に記載の発明は、
請求項４に記載の家庭用薄葉紙を製造するためのエンボス加工装置であって、
前記凸部によって形成されるエンボスの形状が六角形状であることを特徴とする。
【００１３】
請求項６に記載の発明は、
請求項４に記載の家庭用薄葉紙を製造するためのエンボス加工装置であって、
前記上側エンボスロールの凸部と前記下側エンボスロールの凸部のパターンが同一であることを特徴とする。
【００１４】
請求項７に記載の発明は、
請求項４〜６の何れか１項に記載のエンボス加工装置によって製造される家庭用薄葉紙の製造方法であって、
２枚以上の原紙を重ねた状態で、前記上側エンボスロールと前記下側エンボスロールにより押圧してエンボスを施す際に、前記上側エンボスロールの凸部と前記下側エンボスロールの凸部の間に生じた剪断力によって、当該家庭用薄葉紙を破いて前記カット部を形成することを特徴とする。
【発明の効果】
【００１５】
本発明によれば、複数枚重ねられた原紙にカット入りのエンボスを施すことによって、通常のエンボスに比べて原紙同士をより強く接着することができる。そのため、シートに薬液が塗布されて濡れた状態であっても、原紙の剥がれやシートのよれを防止することが可能である。また、カット入りのエンボスは、通常のカットなしのエンボスによって得られる柔軟性や嵩高性等といった効果を得られることはもちろんのこと、カットを入れても外観上の差異はほとんどないため、製品の見栄えも損なうこともない。さらに、エンボス加工と同時にカットを入れることができるため、別途工程を増やす必要もない。
【図面の簡単な説明】
【００１６】
【図１】本発明の家庭用薄葉紙の模式図であり、（ａ）は折り加工前、（ｂ）は折り加工後である。
【図２】図１（ａ）のII-II線の断面図であり、エンボス加工部についての拡大模式図である。
【図３】本発明のエンボス加工装置及び家庭用薄葉紙の製造工程の模式図である。
【図４】本発明のエンボスロールのロールの凸部の模式図であり、（ａ）は凸部の平面図であり、（ｂ）は（ａ）のｂ−ｂ線の断面図であり、（ｃ）は（ａ）のｃ−ｃ線の断面図である。
【図５】本発明の上側エンボスロールの凸部と下側エンボスロールのロールの凸部を重ね合わせた場合の模式図である。
【図６】図５の凸部一組を拡大した拡大模式図である。
【図７】図５の凸部一組でシートを挟み込んだ際の模式図である
【図８】図６の凸部の他の一例を示す模式図である。
【図９】図６の凸部の他の一例を示す模式図である。
【図１０】変形例１における家庭用薄葉紙の模式図である。
【図１１】変形例２における家庭用薄葉紙の模式図である。
【発明を実施するための形態】
【００１７】
以下、本発明の実施形態について、図面を用いて詳細に説明する。ただし、発明の範囲は図示例に限定されない。
なお、本発明である家庭用薄葉紙及び家庭用薄葉紙の製造方法において、家庭用薄葉紙はトイレクリーナーを一例にして説明する。また、トイレクリーナーの長手方向をＸ方向、トイレクリーナーの短手方向をＹ方向、トイレクリーナーの平面に垂直な方向をＺ方向として説明する。
【００１８】
本実施形態によって製造されるトイレクリーナー１は、複数枚の原紙がプライ加工（積層）されたものであって、所定の薬液が塗布されている。また、トイレクリーナー１のシート全面には、図１（ａ）に示す通り、エンボス加工が施されており、エンボス１つ１つにカット部４が設けられている。また、トイレクリーナー１は、折り加工されることにより、例えば図１（ｂ）に示すように、長手方向（Ｘ方向）の中央部で２つ折りに折り畳まれている。そして、折り畳まれた状態で保管用のプラスチックケースや包装フィルム内等に保管され、使用時には必要に応じて広げて使用される。なお、トイレクリーナー１の折り畳み方は、２つ折りに限ることはなく、例えば、４つ折りにしても良く８つ折りにしても良い。
【００１９】
また、本実施形態のトイレクリーナー１は、トイレを掃除した後、そのまま便器の水溜りに廃棄できるように、水解性の繊維集合体から構成されている。繊維集合体としては、天然繊維、合成繊維又はこれらを混合した繊維等を使用することができ、水解性を有する繊維集合体であれば特に限定されることはない。好適な原料繊維としては、木材パルプ、非木材パルプ、レーヨン、コットン等のセルロース系繊維、ポリ乳酸などからなる生分解性繊維等が挙げられる。また、基材の強度を向上させるために、紙力増強剤としてポリビニルアルコール (ＰＶＡ)やカルボキシメチルセルロース（ＣＭＣ）等を配合若しくは塗工・塗布しても良い。
【００２０】
また、本実施形態のトイレクリーナー１には、所定の薬液が塗布されており、具体的には、水性洗浄剤のほか、香料、防腐剤、除菌剤、紙力増強剤等の補助剤を含む所定の薬液が塗布されている。薬液としては、適宜のものを使用することができ、例えば、水性洗浄剤としては、界面活性剤のほか、低級又は高級（脂肪族）アルコールを使用することができる。香料としては、水性香料の他、オレンジオイル等の油性香料の中から、一種又は数種を適宜選択して使用することができる。防腐剤としては、例えばメチルパラベン、エチルパラベン、プロピルパラベン等のパラベン類を使用することができる。除菌剤としては、アルコール、パラオキシ安息香酸エステル、モノマーの四級アンモニウム塩、塩化セチルピリジニウム、フェノキシエタノール等を使用することができる。紙力増強剤としては、ホウ酸、種々の金属イオン等を使用することができる。
また、上述した薬液の成分の補助剤については適宜選択可能であり、必要に応じて他の機能を果たす成分を薬液に含ませても良い。
【００２１】
エンボスｅ１は、図１に示すように、トイレクリーナー１の全面に施されており、各々のエンボスｅ１がカット部４を有している。具体的には、図２に示す断面図のように、エンボスｅ１が施された箇所の一部がカットされてカット部４が形成されており、カット部４とカット部４付近の繊維が絡まっている。そのため、カット部４を有しない場合と比べてプライされたシートがずれ難くなっている。
【００２２】
また、カット部４を有するエンボスｅ１は、通常のエンボスの効果を同様に得ることができ、トイレクリーナーの風合い、吸収性及び嵩高性等を向上させることができる。さらに、カット部４は外観状目立たないため、通常のエンボスと同様に、エンボスを施すことによる見栄えの良さの効果も得ることができる。
【００２３】
次に、本実施形態に係るトイレクリーナー１の製造方法について説明する。
【００２４】
本実施形態に係るトイレクリーナー１は、プライ加工済シート３に対して、カット部を有するエンボスを施すエンボス加工工程（Ｓ１）と、折り加工を施して折り畳み、薬液を塗布し、パック包装する仕上げ工程（Ｓ２）とを含む一連の製造方法によって製造される。
【００２５】
まず、エンボス加工工程（Ｓ１）について図３を用いて詳細に説明する。なお、プライ加工済シート３が繰り出される方向をＸ方向、シート表面上でシートが繰り出される方向に直交する方向をＹ方向、シート表面（ＸＹ平面）に直交する方向をＺ方向として説明する。
【００２６】
エンボス加工工程（Ｓ１）においては、図３に示すように、プライ加工済の原反ロール２から繰り出されたプライ加工済シート３に対して、エンボス加工装置１００により、エンボス加工を行う。
エンボス加工装置１００は、上側エンボスロール１０と下側エンボスロール２０によって、カット部４を有するエンボスｅ１を形成する装置である。上側エンボスロール１０と下側エンボスロール２０はそれぞれ対向する位置に設置されており、ロール表面は同一の凹凸パターンを有している。そして、上側エンボスロール１０表面の凸部１１と下側エンボスロール２０表面の凸部２１は、後述するように、エンボス加工を施すタイミングで互いに重ならないように、ＸＹ方向に凸部をずらして配置されている。
【００２７】
上側エンボスロール１０の表面の凹凸パターンの一例を、図４（ａ），（ｂ），（ｃ）を用いて説明する。ここで、エンボス加工するプライ加工済シート３は、２プライ以上のシートであればプライ数は適宜変更可能であるが、以下の説明においては、２プライの場合を例にして説明する。
【００２８】
上側エンボスロール１０の表面には、一例を図４（ａ）に示すように、ＸＹ方向の断面が六角形状となる凸部１１が設けられている。この六角形の形状は、六角各々の内角α１が、例えば、９５〜１７５度であり、中心を通るＹ方向に平行な直線で線対称な六角形となっている。ここで、Ｙ方向に平行な２辺各々の長さｄ１は、例えば、０．５〜２．５ｍｍであり、２辺間の距離ｄ２は、例えば、０．５〜２．５ｍｍである。ロール表面に設けられた凸部１１は、Ｙ方向には凸部約一つ分の間隔を開けて設けられており、当該列と同様の列がＸ方向に凸部約１．５個分及びＹ方向に凸部０．５個分間隔を開けて設けられている。そして、この２列が繰り返されてロール表面の凸部のパターンが構成されている。
【００２９】
また、エンボスロール表面の凸部１１の断面は、図４（ｂ）に示すように、ＸＺ方向の断面は各々の角度α２が、例えば、９０度で、高さｈ１が、例えば、１．０〜２．０ｍｍである長方形状となっている。また、図４（ｃ）に示すように、ＹＺ方向についての断面は上底側の２角α３が、例えば、１０６度で、高さｈ１が、例えば、１．０〜２．０ｍｍである台形状になっている。
【００３０】
上側エンボスロール１０と下側エンボスロール２０は、図３に示すように、Ｚ軸方向に対向する位置に設置されており、上側エンボスロール１０と下側エンボスロール２０を重ねた場合、それぞれの凸部が重ならないように配置されている（図５参照）。具体的には、図６に図５の拡大図を示したように、上側エンボスロール１０の凸部１１と下側エンボスロール２０の凸部２１のＸ方向の距離ｓ１は、例えば、０．１〜０．５ｍｍ、Ｙ方向のずれｄ３は、例えば、０．１〜２．０ｍｍとなっており、Ｙ方向の２辺がそれぞれ平行に並ぶように配置されている。そして、上側エンボスロール１０の凸部１１と下側エンボスロール２０の凸部２１が向かい合ったＹ方向の側面付近がカット位置５となる。
【００３１】
カット位置５における、上側エンボスロール１０の凸部１１と下側エンボスロール２０の凸部のＹ方向の重なりｄ４は、例えば、０．４〜２．４ｍｍである。なお、上側エンボスロール１０の凸部１１と下側エンボスロール２０の凸部２１のＸ方向の距離ｓ１は、前述したように、例えば、０．１〜０．５ｍｍとしたが、後述するように、シートを挟み込んで剪断力によってシートを破ける距離であれば適宜変更可能である。
【００３２】
上側エンボスロール１０の凸部１１と下側エンボスロール２０の凸部２１は、図７に示すように、それぞれの凸部の向かい合うＹ方向の側面間で、シートを挟み込むことができる構成となっている。そして、エンボスを施す際に入るカット部４は、シートをエンボスロールで押圧する際に、上側エンボスロール１０の凸部１１と下側エンボスロール２０の凸部２１の間にシートが挟み込まれ、凸部間のカット位置５のシートの部分に負荷がかかって剪断力によってシートが破けることにより形成される。
【００３３】
なお、カット部４のカット長は、凸部自体の大きさを変更することで適宜変更することが当然可能であるが、凸部自体の大きさを変更しなくともカット長を調整することが可能である。具体的には、凸部同士のＹ方向のずれる距離を変更することによって調整可能であり、図８のように、凸部同士のＹ方向のずれをなくした場合は、上側エンボスロール１０の凸部１１と下側エンボスロール２０の凸部２１の向かい合う側面のカット位置５の長さが最長となり、カット長を長くすることができる。また、図９のように、凸部２１をＹ方向上でずらして凸部同士の向かい合う側面の長さを短くした場合、カット位置５の長さが短くなり、カット長を短くすることができる。
【００３４】
なお、上述した本実施形態においては、一例としてエンボスロールの凸部を適宜な長さの六角形状として実施例を説明したが、凸部の大きさは適宜変更可能であり、形状は四角形でも五角形でも良く、凸部の大きさについても、上述した例に限られない。
【００３５】
なお、本実施形態の凸部を適宜の角度に回転させて配置しても良い。例えば、上側エンボスロール１０の凸部１１と下側エンボスロール２０の凸部２１をそれぞれ９０度回転させて設ければ、カット部４の向きをＸ方向に平行な向きに設けることができ、４５度回転させて設ければ、カット部４の向きも４５度回転した向きに設けることができる。
【００３６】
また、本実施形態においては、上側エンボスロール１０の凸部１１と下側エンボスロール２０の凸部２１を全て同一パターンとしたが、必ずしも同一にする必要はない。具体的には、カット位置５で剪断力によってシートを破くことが可能となっていれば良く、例えば、上側エンボスロール１０の凸部１１を本実施形態の六角形状とし、下側エンボスロール２０の凸部２１を四角形状としても良い。
【００３７】
エンボス加工工程（Ｓ１）後は、折り加工を施して折り畳み、薬液を塗布し、パック包装する仕上げ工程（Ｓ２）が行われる。具体的には、エンボス加工（Ｓ１）を施した後、トイレクリーナー１を各々１枚ずつの大きさに裁断し、適宜の大きさに折り加工し、適宜の薬液塗布し、パック包装することによってトイレクリーナー１を完成させる工程である。
【００３８】
なお、仕上げ工程（Ｓ２）の各工程は必要に応じて追加若しくは削除しても良く、例えば、折り加工や薬液塗布を含まない工程としても良い。
【００３９】
次に、従来のカットなしのエンボスを施したトイレクリーナーと、本実施形態のカットありのエンボスを施したトイレクリーナーとについて、加工性、見栄え、よれ難さ、プライ剥がれ難さを評価した結果を説明する（表１参照）。
【００４０】
【表１】
2015142602.tif 000003
【００４１】
＜実施条件＞
原紙：パルプ１００％（ＰＶＡ繊維配合）
秤量（ドライ状態）：９０ｇ／ｍ２（２プライ）
エンボス条件：本実施形態のエンボスを、ｄ１＝１．４５ｍｍ，ｄ２＝１．２ｍｍ，ｄ３＝０．４８ｍｍ，ｄ４＝０．９７ｍｍ，ｓ１＝０．３ｍｍ，ｈ１＝１．６ｍｍ，α１＝１２０度，α２＝９０度，α３＝１０６度として施した。
エンボス密度：約８個／ｃｍ２
薬液成分（実験２）：エタノール、界面活性剤、除菌剤、オレンジエキス、シリコーン
【００４２】
まず、実験（１）として、トイレクリーナー１の仕上げ工程（Ｓ２）の折り加工時において、プライ加工済シート３の加工性を評価した。なお、折り加工時においては、上述したように、エンボスは施されているが、薬液は塗布されていないため、トイレクリーナー１はドライな状態である。
【００４３】
加工性の評価においては、加工時にプライのずれが生じるかどうかで評価した（ずれが生じた場合は「×」、ずれが生じなかった場合は「○」）。表１に示すように、カットなしエンボスのみを施した場合は、プライずれが生じることがあり加工し難く、カットありのエンボスを施した場合は、プライのずれが生じることはなく加工し易かった。
【００４４】
次に、実験（２）として、トイレクリーナー１の完成品の使用時において、見栄え、よれ、プライ剥がれについて官能評価を行った。なお、トイレクリーナー１は、本実施形態で示した通り、薬液塗布されて濡れた状態になっており、広げて使用する場合を想定して評価した。
【００４５】
見栄えの評価においては、シートがくずれて見栄えが悪くならないかどうかを評価した（シートがくずれた場合は「×」、シートがくずれなかった場合は「○」）。表１に示すように、カットなしのエンボスのみを施した場合は、シートがくずれて見栄えが悪くなり、カットありのエンボスを施した場合は、シートがくずれることはなく見栄えの良い状態を保つことができた。
よれの評価においては、シートがよれるかどうかで評価した（シートがよれた場合は「×」、シートがよれなかった場合は「○」）。表１に示すように、カットなしのエンボスのみを施した場合は、シートがよれ易く、カットありのエンボスを施した場合は、シートがよれ難くなっていた。
プライ剥がれの評価においては、プライ剥がれすることなく、折り畳まれたシートを上手く広げることができるかどうかで評価した（広げる際にプライ剥がれすれば「×」、プライ剥がれしなければ「○」）。表１に示すように、カットなしのエンボスのみを施した場合は、シートがプライ剥がれし易くシートを上手く広げることができず、カット有りのエンボスを施した場合は、プライ剥がれすることはなく、シートを容易に広げて使用することができた。
【００４６】
このように、カット部４を有するエンボス加工を施した場合、シート同士の接着力を向上させることにより、製造工程において加工しやすく、製品の使用時において、見栄えの良く、よれ難く、プライ剥がれし難いという顕著な効果を得ることができた。
【００４７】
＜変形例１＞
本実施形態において、図１０に示すように、折り加工する部分にカット長の長いカット部６を有するエンボスｅ２を施すようにしても良い。具体的には、例えば、図１（ｂ）に示したように、トイレクリーナー１の長手方向の中央部で２つ折に折り加工をすると仮定した場合、長手方向の中央部の部分だけカット長の長いカット部６を有するエンボスｅ２を施す構成としても良い。この場合、カット長の中央部の列は、折り目をつけ易くなるため、折り加工がし易くなる。
【００４８】
ここで、カット長の長さは、前述したように、エンボスロールの凸部をＹ方向にずらすことにより調整しても良く、エンボスロールの凸部の大きさ自体を大きくすることによって調整しても良い。
【００４９】
なお、カット長の長いカット部６は、一例としてトイレクリーナー１の長手方向中央部に長手方向と直交するＹ方向に沿って１列のみ設けられた例で説明したが、これに限ることはなく、２列以上であっても良いし、カット長の長いカット部６は、Ｘ方向に沿って設けられるようにしても良い。
【００５０】
なお、ミシン目を設けることにより、変形例１と同様の効果を得ることも可能であるが、本実施形態の場合は、エンボス加工と同時にカットを入れることができるため、別途工程やコストはかからない点で有利である。
【００５１】
＜変形例２＞
本実施形態のカット部４を有するエンボスを、図１１に示すように、シート両側縁部のエッジエンボスｅ３に施しても良い。ここで、カット部４の向きは、エンボスロール表面の凸部の向きを変更することにより適宜変更可能であるが、図１１には一例として、本実施形態の凸部の側面をＹ方向に対して９０度回転させた場合について示した。
【００５２】
エッジエンボスｅ３は、シート同士の両側縁部を圧着することによって形成され、プライ剥がれを防止することが可能である。本実施形態の方法によって、カット部４を有するエッジエンボスｅ３とすることで、エッジエンボスの効果であるプライ剥がれ難さをさらに向上させることができる。
【００５３】
以上のように、本実施形態のトイレクリーナーは、カット部４を有するエンボスｅ１を施すエンボス加工工程（Ｓ１）と、折り加工、薬液塗布、パック包装する仕上げ工程（Ｓ２）とによって製造される。そして、トイレクリーナーはカット部４を有するエンボスｅ１によってシート同士が強く接着しているため、薬液が塗布されたシートにおいても、プライ剥がれやシートのよれを防止することができる。
【００５４】
また、本発明のカット入りのエンボスは、通常のカットなしのエンボスによって得られる柔軟性や嵩高性等といった効果を得られることはもちろんのこと、カットを入れても外観上の差異はほとんどないため、製品の見栄えも損なうこともない。さらに、エンボス加工と同時にカットを入れることができるため、別途工程を増やす必要もない。
【００５５】
なお、本実施形態はトイレクリーナーを一例として説明したが、原紙がプライ加工され、薬液が塗布された状態で使用されるキッチンクリーナー等の家庭用薄葉紙も含まれる。さらに、乾燥状態で使用される、トイレットペーパーやティッシュペーパー等の家庭用薄葉紙にカット部を有するエンボスを施すことも可能であり、水解紙だけではなく、非水解紙であっても良い。
【００５６】
なお、本実施形態では、プライ加工済みのシートに対してカット入りのエンボスを施すこととしたが、これに限ることはなく、プライ加工の段階で、プライとエンボスを同時にしても良い
【００５７】
なお、本実施形態のトイレクリーナーの製造方法において、２プライのプライ加工済みのシートに対してカット入りエンボスを施す方法について説明したが、２プライ以上であればよく、例えば、３プライとしても良い。さらに、３枚の原紙をプライ加工するようにした場合には、中央のシートを剛性シートとし、外側を柔らかく、埃を絡み取れるようなシートとした場合、強くこすっても破れることのない剛性をもちながら、柔軟性があって触り心地がよく、ゴミを取り易いシートとすることが可能である。
【符号の説明】
【００５８】
１      トイレクリーナー
２      原反ロール
３      プライ加工済シート
４      カット部
５      カット位置
６      カット部（変形例１）
１０    上側エンボスロール
１１    凸部
２０    下側エンボスロール
２１    凸部
１００  エンボス加工装置
ｅ１    エンボス
ｅ２    エンボス（変形例１）
ｅ３    エッジエンボス（変形例２）
Ｓ１    エンボス加工工程
Ｓ２    仕上げ工程
【図１】
2015142602.tif 000004
【図２】
2015142602.tif 000005
【図３】
2015142602.tif 000006
【図４】
2015142602.tif 000007
【図５】
2015142602.tif 000008
【図６】
2015142602.tif 000009
【図７】
2015142602.tif 000010
【図８】
2015142602.tif 000011
【図９】
2015142602.tif 000012
【図１０】
2015142602.tif 000013
【図１１】
2015142602.tif 000014